(57)【要約】【課題】  ケーブルの太さが異なる場合においてもケーブルを確実に固定しつつ外観を良好に保つことができるコネクタを提供することを目的とする。【解決手段】  コネクタ１は、ケーブルと電気的に接続されるコネクタ部１０と、ケーブルに巻きつけられてケーブルを加締める帯状の金属板２２を有すると共に、コネクタ部１０に固定されるケーブル固定部２０とを備え、金属板２２の少なくとも一方の面において、金属板２２の長手方向を横切る方向に少なくとも１つの溝部２３が形成されていることを特徴とする。【選択図】    図１
2011090814.tif 000002
【特許請求の範囲】
【請求項１】
ケーブルと電気的に接続されるコネクタ部と、
前記ケーブルに巻きつけられて前記ケーブルを加締める帯状の金属板を有すると共に、前記コネクタ部に固定されるケーブル固定部と、
を備え、
前記金属板の少なくとも一方の面において、前記金属板の長手方向を横切る方向に少なくとも１つの溝部が形成されている
ことを特徴とするコネクタ。
【請求項２】
前記溝部は、前記金属板の長手方向に垂直な方向に設けられることを特徴とする請求項１に記載のコネクタ。
【請求項３】
前記金属板は、長手方向の両側の端部が互いに平行な形状とされ、前記溝部は、前記端部と平行に形成されることを特徴とする請求項１に記載のコネクタ。
【請求項４】
前記端部は、前記金属板に垂直な方向から前記金属板を見る場合に、略Ｖ字状に形成されることを特徴とする請求項３に記載のコネクタ。
【発明の詳細な説明】
【技術分野】
【０００１】
本発明は、コネクタに関する。
【背景技術】
【０００２】
現在、コンピュータとコンピュータ周辺機器とを接続するＵＳＢケーブルに代表される、電子機器同士を接続するケーブルにおいては、ケーブルの端部にコネクタが固定されたコネクタ付きケーブルが用いられている。このコネクタ付きケーブルにおいては、コネクタが、帯状の金属板を有するケーブル固定部を備えている場合がある。このようなコネクタ付きケーブルにおいては、ケーブル固定部の金属板がケーブルの外周面上に巻きつけられると共に、ケーブルを加締める。こうして、ケーブルとコネクタとが一体とされて固定される。
【０００３】
下記特許文献１には、このようなコネクタ付きケーブルが記載されている。下記特許文献１に記載のコネクタ付きケーブルにおけるコネクタは、外形が帯状の金属板を有するケーブル固定部を備えており、この金属板は、長手方向が、加締められるケーブルの長手方向に対して垂直を向くように配置されている。そして、この金属板をケーブルに巻きつけると共に、ケーブルを加締めて、ケーブルとコネクタとを固定する。
【先行技術文献】
【特許文献】
【０００４】
【特許文献１】特開２００２−３３１５６号公報
【発明の概要】
【発明が解決しようとする課題】
【０００５】
しかし、上記特許文献１に記載のコネクタにおいては、ケーブル固定部の金属板の長さが、固定されるケーブルの外周の長さよりも短い場合、ケーブルの外周において金属板により加締められない部分が生じる。このように加締められない部分が生じるとコネクタとケーブルとを固定する力が弱くなるという問題がある。一方、ケーブル固定部の金属板の長さが、ケーブルの外周よりも長い場合、金属板が１周以上ケーブルの外周に巻きつき、金属板が重なって巻かれる部分が生じる。このように金属板が重ねられて巻きつけられると、コネクタにおけるケーブル固定部の太さが大きくなり、外観が悪くなる。また、ケーブル固定部を樹脂により被覆する場合においても、金属板が重ねられて巻きつけられると、この樹脂が歪になることがあり、やはり外観が悪くなる。従って、上記特許文献１に記載のコネクタにおいては、ケーブルの太さに合わせてケーブル固定部の金属板の長さを定める必要があり、ケーブルの太さに合わせたケーブル固定部を有するコネクタを用意する必要があった。
【０００６】
そこで、本発明は、ケーブルの太さが異なる場合においてもケーブルを確実に固定しつつ外観を良好に保つことができるコネクタを提供することを目的とする。
【課題を解決するための手段】
【０００７】
本発明のコネクタは、ケーブルと電気的に接続されるコネクタ部と、前記ケーブルに巻きつけられて前記ケーブルを加締める帯状の金属板を有すると共に、前記コネクタ部に固定されるケーブル固定部と、を備え、前記金属板の少なくとも一方の面において、前記金属板の長手方向を横切る方向に少なくとも１つの溝部が形成されていることを特徴とするものである。
【０００８】
このようなコネクタによれば、ケーブル固定部の金属板をケーブルに巻きつけてケーブルを加締めて、ケーブルとコネクタとを互いに固定することができる。このとき、ケーブル固定部の金属板には、溝部が形成されているため、金属板の溝部における強度は、金属板の他の部分の強度よりも弱くなる。そして、この溝部は、金属板の長手方向を横切る方向に形成されているため、金属板の一部を溝部に沿って切り離すことができる。このようにしてケーブルの太さに合わせて、金属板の長さを調整することができる。このように金属板の長さを調整することができるため、ケーブルの太さが異なる場合においてもケーブルを確実に固定しつつ外観を良好に保つことができる。
【０００９】
さらに、上記コネクタにおいて、前記溝部は、前記金属板の長手方向に垂直な方向に設けられることが好ましい。
【００１０】
このようなコネクタによれば、溝部の長さが最も短くなり、溝部に沿って金属板の一部を切り離す際、最も弱い力で金属板を切り離すことができる。
【００１１】
また、上記コネクタにおいて、前記金属板は、長手方向の両側の端部が互いに平行な形状とされ、前記溝部は、前記端部と平行に形成されることが好ましい。
【００１２】
このように構成されることで、溝部に沿って、金属板の一部を切り離した後においても、金属板の両端部を平行にすることができる。
【００１３】
更に、上記コネクタにおいて、前記端部は、前記金属板に垂直な方向から前記金属板を見る場合に、略Ｖ字状に形成されることが好ましい。
【発明の効果】
【００１４】
本発明によれば、ケーブルの太さが異なる場合においてもケーブルを確実に固定しつつ外観を良好に保つことができるコネクタが提供される。
【図面の簡単な説明】
【００１５】
【図１】本発明の第１実施形態に係るコネクタを示す平面図である。
【図２】図１に示すコネクタのII−II線における断面の構造の様子を示す断面図である。
【図３】コネクタがケーブルに取り付けられた様子を示す図である。
【図４】本発明の第２実施形態に係るコネクタを示す平面図である。
【発明を実施するための形態】
【００１６】
以下、本発明に係るコネクタ及びコネクタ付きケーブルの好適な実施形態について図面を参照しながら詳細に説明する。
【００１７】
（第１実施形態）
図１は、本発明の第１実施形態に係るコネクタを示す平面図である。
【００１８】
図１に示すように、本実施形態において、コネクタ１は、ＵＳＢケーブル用のコネクタとされ、コネクタ部１０と、コネクタ部１０に固定されるケーブル固定部２０とを主な構成として備える。
【００１９】
コネクタ部１０は、平面における外形が略長方形のシェル１１と、シェル１１に配置され平面における外形が略長方形の配線基板１２とを有する。
【００２０】
このシェル１１は、折り曲げ加工された金属板から構成されている。このシェル１１の長手方向に沿った一方側は、長手方向に垂直な断面における形状が長方形の筒型に加工されている。そして、この筒形に加工された部分を断面で見る場合における１つの長辺を形成する面、及び、この長辺に接続される２つの短辺を形成する面が、シェル１１の他方側まで延在している。従って、シェル１１の長手方向における他方側は、長手方向に垂直な断面における形状が略コ字状に加工されている。
【００２１】
また、配線基板１２は、一部がシェル１１の筒状に加工された部分に挿入され、他の一部分がコ字状に加工された部分から露出するようにシェル１１に配置されている。また、この配線基板１２には、配線基板１２の長手方向に沿って、複数の端子１３が設けられている。そして、この複数の端子１３は、配線基板１２において、シェル１１の筒状に加工された部分からコ字状に加工された部分にかけて延在している。
【００２２】
また、シェル１１における断面がコ字状に加工された側の端部には、ケーブル固定部２０が接続されている。このケーブル固定部２０は、金属板から成る接続部２１と、金属板から成るケーブルクランプ部２２とから構成される。
【００２３】
接続部２１は、シェル１１側における断面がコ字状に加工された側の端部に接続されて、シェル１１の長手方向に沿って延在している。この接続部２１は、シェル１１と一体形成されており、シェル１１に固定されている。
【００２４】
さらに接続部２１は、シェル１１側と反対側において、ケーブルクランプ部２２に接続されている。このケーブルクランプ部２２は、帯状の金属板から成る。そして、ケーブルクランプ部２２の両端部は、互いに平行に形成されることが好ましく、本実施形態において、ケーブルクランプ部２２は、長方形とされる。このケーブルクランプ部２２は、長手方向がシェル１１の長手方向と垂直になるように配されて、接続部２１は、ケーブルクランプ部２２の長手方向に沿った側面の途中に接続されている。また、ケーブルクランプ部２２と接続部２１とは一体形成されている。従って、シェル１１及びケーブル固定部２０は、一体形成されている。このようにシェル１１及びケーブル固定部２０が一体形成されることで、ケーブル固定部２０は、コネクタ部１０に固定されている。
【００２５】
図２は、図１のII−II線における断面の様子を示す断面図であり、ケーブルクランプ部２２の長手方向に沿った断面における様子を示す断面図である。図１、図２に示すように、ケーブルクランプ部２２は、長手方向に沿った両端部の近傍において、それぞれ一方の面に複数の溝部２３が設けられている。この溝部２３は、ケーブルクランプ部２２の長手方向を横切る方向に設けられており、具体的には、ケーブルクランプ部２２の長手方向における両方の端部と平行になるように設けられている。本実施形態においては、ケーブルクランプ部２２の形状は長方形であるため、溝部２３は、ケーブルクランプ部２２の長手方向に対して垂直に設けられている。この溝部２３の深さは、特に限定されるわけではないが、ケーブルクランプ部２２の厚さに対して１／２〜１／３程度の厚さとされることが好ましい。この溝により、ケーブルクランプ部２２における金属片２４が形成されている。このようにケーブルクランプ部２２には、溝部２３が設けられているため、ケーブルクランプ部２２の溝部２３における強度は、ケーブルクランプ部２２の他の部分よりも弱くされる。そして、この溝部２３は、長手方向を横切るように設けられているため、ケーブルクランプ部２２の一部である金属片２４を溝部２３に沿って切り離すことができる。
【００２６】
次に、このコネクタ１をケーブルに固定する様子について説明する。図３は、図１に示すコネクタ１をケーブルに取り付けたコネクタ付きケーブル様子を示す平面図である。
【００２７】
図３に示すように、コネクタ付きケーブル２は、コネクタ１とケーブル４０とを備える。そして、ケーブル４０は、ＵＳＢ用のケーブルとされ、一対の信号線４１、４１と、一対の電源線４２、４２と、一対の信号線４１、４１及び一対の電源線４２、４２の外周を被覆するシールド４５と、シールド４５の外周を被覆するシース４６とを有する。なお、一対の電源線４２、４２のうち、一方は電圧が付与される電力線とされ、他方は接地されるグランド線とされる。
【００２８】
一対の信号線４１、４１は、互いに同じ構成の絶縁電線からなり、具体的には導体の撚り線から成る中心導体４１ａと、中心導体４１ａを被覆する絶縁体４１ｂとから構成される。また、一対の電源線４２、４２は、それぞれ絶縁電線からなり、具体的には導体の撚り線から成る中心導体４２ａと、中心導体４２ａを被覆する絶縁体４２ｂとから構成される。また、シールド４５は、複数の金属の線材が網目状に編まれた金属片組から構成される。また、シース４６は、耐熱、耐摩耗性に優れる樹脂から構成される。
【００２９】
このようなケーブル４０の一端においては、シース４６からシールド４５が露出され、シールド４５は、図示しないはんだによりコネクタ部１０のシェル１１にはんだ付けされている。さらに、一対の信号線４１、４１及び一対の電源線４２、４２は、シールド４５から露出されている。そして、一対の信号線４１、４１のそれぞれにおいて、中心導体４１ａが絶縁体４１ｂから露出され、図示しないはんだにより配線基板１２の端子１３にはんだ付けされている。また、一対の電源線４２、４２のそれぞれにおいて、中心導体４２ａが絶縁体４２ｂから露出され、図示しないはんだにより配線基板１２の端子１３にはんだ付けされている。
【００３０】
また、ケーブル４０は、シェル１１の長手方向に沿って配置されている。従って、上述のようにケーブルクランプ部２２の長手方向がシェル１１の長手方向と垂直であるため、ケーブル４０は、長手方向がケーブルクランプ部２２の長手方向と垂直に配置されている。そして、このようにケーブル４０がケーブル固定部２０と重なるように配置された状態で、ケーブル４０の外周にケーブルクランプ部２２が巻きつけられると共に、ケーブル４０はケーブルクランプ部２２により加締められている。こうして、ケーブル４０がコネクタ１に固定されて、コネクタ付きケーブル２とされている。
【００３１】
なお、このようにケーブル４０がコネクタ１に固定されるとき、ケーブルクランプ部２２の長さがケーブル４０の外周の長さよりも長くなる場合がある。このような場合には、ケーブルクランプ部２２の溝部２３に沿って、金属片２４を切り離す。こうしてケーブルクランプ部２２の長さをケーブル４０の外周の長さに合わせて調整する。このようにして、ケーブルクランプ部２２の長さがケーブル４０の外周の長さよりも長い場合、図３に示すように、ケーブルクランプ部２２が重ならずにケーブル４０に巻きつけられて加締められる。
【００３２】
本実施形態におけるコネクタ１によれば、ケーブル固定部２０のケーブルクランプ部２２をケーブル４０に巻きつけてケーブル４０を加締めて、ケーブル４０とコネクタ１とを互いに固定することができる。このとき、ケーブル固定部２０のケーブルクランプ部２２には、溝部２３が形成されているため、ケーブルクランプ部２２の溝部２３における強度は、ケーブルクランプ部２２の他の部分の強度よりも弱くなる。そして、この溝部２３は、ケーブルクランプ部２２の長手方向を横切る方向に形成されているため、ケーブルクランプ部２２の一部を溝部２３に沿って切り離すことができる。このようにしてケーブル４０の太さに合わせて、ケーブルクランプ部２２の長さを調整することができる。このようにケーブルクランプ部２２の長さを調整することができるため、ケーブル４０の太さが異なる場合においてもケーブル４０を確実に固定しつつ外観を良好に保つことができる。
【００３３】
また、本実施形態においては、溝部２３は、ケーブルクランプ部２２の長手方向に垂直な方向に設けられているため、溝部２３の長さを最も短くすることができ、溝部２３に沿ってケーブルクランプ部２２の一部を切り離す際、最も弱い力でケーブルクランプ部２２切り離すことができる。
【００３４】
さらに、本実施形態においては、ケーブルクランプ部２２は、長手方向の両側の端部が互いに平行な形状とされ、溝部２３は、この端部と平行に形成されるため、溝部２３に沿って、金属片２４を切り離した後においても、ケーブルクランプ部２２の両端部を平行にすることができる。
【００３５】
（第２実施形態）
次に、本発明の第２実施形態について図４を参照して詳細に説明する。なお、第１実施形態と同一又は同等の構成要素については、同一の参照符号を付して重複する説明は省略する。図４は、本発明の第２実施形態に係るコネクタを示す平面図である。
【００３６】
図４に示すように、本実施形態におけるコネクタ３は、第１実施形態におけるケーブルクランプ部２２に代えて、ケーブルクランプ部２５を用いる点において、第１実施形態のコネクタ１と異なる。
【００３７】
図４に示すように、ケーブルクランプ部２５は、帯状の金属板から構成されており、ケーブルクランプ部２５の長手方向に沿った一方の端部は、中央部付近が最も延出されており、この中央部を頂点として、Ｖ字状にカットされた形状とされている。また、ケーブルクランプ部２５の長手方向に沿った他方の端部は、中央部付近が最も引っ込んで、両側部が最も延出されて、Ｖ字状にカットされた形状とされている。このように、ケーブルクランプ部２５は、一方の端部が中央部で突出しＶ字状とされ、他方の端部が中央部で引っ込んだＶ字状とされて、ケーブルクランプ部２５の両端部は、互いに平行な形状に形成されている。従って、ケーブルクランプ部２５をケーブルに巻きつけて、コネクタ３をケーブルに固定するときに、ケーブルクランプ部２５の一方の端部における先端が、他方の端部における両側部の挟まれるようになされる。このようにケーブルクランプ部２５の一方の端部と他方の端部とは、互いに嵌合可能な形状とされている。
【００３８】
また、ケーブルクランプ部２５の長手方向に沿った両端部の近傍において、それぞれ一方の面には、複数の溝部２６が設けられている。この溝部２６は、ケーブルクランプ部２５の長手方向を横切る方向に設けられており、ケーブルクランプ部２５に対し垂直にケーブルクランプ部２５を見る場合に、ケーブルクランプ部２５の両端部の形状と平行で、Ｖ字状に形成されている。このように溝部を形成することで、溝部２６に沿って、金属片２７を切り離した後においても、ケーブルクランプ部２５をケーブルに巻きつけるときに、ケーブルクランプ部２５の一方の端部における先端が、他方の端部における両側部に挟まれて、嵌合するようになされる。
【００３９】
以上、本発明について、第１、第２実施形態を例に説明したが、本発明はこれらに限定されるものではない。
【００４０】
例えば、第１、第２実施形態において、コネクタ１、３は、ＵＳＢ用のコネクタとされたが、本発明はこれに限らず、他の種類のケーブルにも適用可能である。例えば、ケーブルを同軸ケーブルとして、ケーブル用コネクタをアンテナ用のコネクタ等としても良い。
【００４１】
また、第１、第２実施形態において、ケーブルクランプ部の両端部は、互いに平行とされたが、本発明はこれに限らず、ケーブルクランプ部の両端部は、互いに平行でなくとも良い。さらに、溝部は、ケーブルクランプ部の両端部と平行に形成されることとしたが、本発明はこれに限らず、溝部とケーブルクランプ部の端部とが平行でなくとも良い。
【産業上の利用可能性】
【００４２】
本発明によれば、ケーブルの太さが異なる場合においてもケーブルを確実に固定しつつ外観を良好に保つことができるコネクタ付きケーブルを実現可能なコネクタ、及び、それを用いたケーブル付きコネクタが提供される。
【符号の説明】
【００４３】
１、３・・・コネクタ
２・・・コネクタ付きケーブル
１０・・・コネクタ部
１１・・・シェル
１２・・・配線基板
１３・・・端子
２０・・・ケーブル固定部
２１・・・接続部
２２、２５・・・ケーブルクランプ部（金属板）
２３、２６・・・溝部
２４、２７・・・金属片
４０・・・ケーブル
４１・・・信号線
４１ａ、４２ａ・・・中心導体
４１ｂ、４２ｂ・・・絶縁体
４２・・・電源線
４５・・・シールド
４６・・・シース
【図１】
2011090814.tif 000003
【図２】
2011090814.tif 000004
【図３】
2011090814.tif 000005
【図４】
2011090814.tif 000006